(57)【特許請求の範囲】
【請求項１】
シャワーヘッドに接続される蛇腹ホースに装着され、蛇腹ホースのホルダーからの引出し量を制限するホース用のストッパーにおいて、前記ストッパーは複数の分割体を備え、一方の分割体には蛇腹ホースの外周面に形成された凹部に係合する突部と、凹部に突部を係合させた状態を保持する保持手段とが設けられ、この保持手段は合成樹脂材からなる一対の脚部と、両脚部の間で蛇腹ホースの凹部の外径より小径とした挿通孔とからなり、蛇腹ホースに一方の分割体を保持した後に、この保持された一方の分割体に対し他方の分割体を結合することで、蛇腹ホースの凹部は両脚部を弾力的に拡開しながら挿通孔を通過して突部に係合し、蛇腹ホースに装着されることを特徴とするホース用のストッパー。
【発明の詳細な説明】
【技術分野】
【０００１】
この発明は、洗面台や流し台で使用される引出し可能なホース収納水栓などで、シャワーヘッドに接続された蛇腹ホースに装着されるストッパーに関するものである。
【背景技術】
【０００２】
洗面台や流し台で使用されるホース収納水栓において、水栓のホルダーに支持されるシャワーヘッドには蛇腹ホースが接続されており、シャワーヘッドは蛇腹ホースと共にホルダーから引出して使用される。このようなシャワーヘッドに接続される蛇腹ホースは、ホルダーからの引出しすぎにより折り曲げられてしまい、損傷する恐れがあり、引出し量を制限するためにストッパーが装着されており、ストッパーの蛇腹ホースへの装着を確実としたものとして公知のものに、特許文献１がある。
【０００３】
この特許文献１のストッパーについて簡単に説明すると、ストッパーは複数の分割体と係止部材とからなり、係止部材により各分割体を合わせたときに軸線部に蛇腹ホースの途中部を嵌め込む嵌込凹部が形成され、この嵌込凹部には蛇腹ホースの外表面の蛇腹状凹凸に整合する整合凹凸が設けられているので、分割体を合わせると、ストッパーは確実に蛇腹ホースに装着されることになり、繰り返される蛇腹ホースのホルダーからの引出し操作によっても、位置ずれをおこすことがないものである。
【０００４】
【特許文献１】実開平４−６３８８６号公報
【発明の開示】
【発明が解決しようとする課題】
【０００５】
前記特許文献１においては、ストッパーの両分割体にそれぞれ整合凹凸が設けられており、この整合凹凸を蛇腹ホースの蛇腹状凹凸に整合させるものであり、一方の分割体の整合凹凸を蛇腹ホースの蛇腹状凹凸に整合させた後に、他方の分割体を蛇腹ホースの外表面に覆い被せるが、一方の分割体の整合凹凸を蛇腹ホースの蛇腹状凹凸に整合させた状態でその整合状態を保持する手段を備えておらず、両分割体を結合させる前にストッパーの蛇腹ホースに対する位置がずれてしまうことがあり、この位置のずれに気付くことなくストッパーが蛇腹ホースに装着されていると、ストッパーの蛇腹ホースへの装着を確実に行なうことができないという問題があった。
【０００６】
この発明は、このような従来の技術に存在する問題点に着目してなされたものであり、その課題は、ホース用のストッパーにおいて、ストッパーの蛇腹ホースへの装着を確実に行なうことである。
【課題を解決するための手段】
【０００７】
上記課題を達成するため、請求項１記載の発明では、シャワーヘッドに接続される蛇腹ホースに装着され、蛇腹ホースのホルダーからの引出し量を制限するホース用のストッパーにおいて、前記ストッパーは複数の分割体を備え、一方の分割体には蛇腹ホースの外周面に形成された凹部に係合する突部と、凹部に突部を係合させた状態を保持する保持手段とが設けられ、この保持手段は合成樹脂材からなる一対の脚部と、両脚部の間で蛇腹ホースの凹部の外径より小径とした挿通孔とからなり、蛇腹ホースに一方の分割体を保持した後に、この保持された一方の分割体に対し他方の分割体を結合することで、蛇腹ホースの凹部は両脚部を弾力的に拡開しながら挿通孔を通過して突部に係合し、蛇腹ホースに装着されるものである。 
【発明の効果】
【０００９】
本発明の請求項１記載の発明では、ホース用のストッパーは一方の分割体が蛇腹ホースに保持された状態で両分割体を結合させることで蛇腹ホースに装着するので、蛇腹ホースの凹部に一方の分割体の突部が係合した状態のまま、ストッパーを蛇腹ホースに対し確実に装着することができるうえ、ストッパーを蛇腹ホースへ装着する際の作業性が向上する。
【００１０】
また、蛇腹ホースを分割体の保持手段に弾力的に挿通させるだけの簡単な操作で、ストッパーを蛇腹ホースに対し確実に保持させることができる。
【発明を実施するための最良の形態】
【００１１】
以下、本発明を具体化した実施形態を図に基づいて詳細に説明する。
【００１２】
本発明のホース用のストッパー２０が装着される水栓３は図１に示すように、水栓本体３ａの下部に固定軸４が突出して形成され、この固定軸４を流し台又は洗面化粧台のカウンター１に穿設された取付孔２に上部から挿通し、カウンター１の下部からナット５を固定軸４に螺着することで、カウンター１に起立した状態で固定されている。
【００１３】
前記水栓本体３ａの内部には円盤型の固定板及び可動板を上下に重ね合わせた弁機構６が収容されており、この弁機構６と連繋したレバー７を上下又は左右に操作することで、シャワーヘッド８から吐水される湯水の吐水流量又は温度が調節される。
【００１４】
前記水栓３の固定軸４と弁機構６との間で水栓本体３ａの外周にはホルダー９が回転自在に装着されており、このホルダー９は蛇腹ホース１０の先端に結合されたシャワーヘッド８を引出し自在に支持し、シャワーヘッド８はホルダー９に支持された状態、又は蛇腹ホース１０と共にホルダー９から引出して使用され、レバー７を吐水方向へ操作すればシャワーヘッド８から湯水を吐水可能となっている。
【００１５】
前記水栓本体３ａの下部には固定軸４と並設して、弁機構６に対し給湯源から湯を供給する湯管１１、及び給水源から水を供給する水管１２が垂設され、さらに前記弁機構６により吐水流量又は温度が調節された湯水を蛇腹ホース１０を介してシャワーヘッド８へ供給する供給管１３が垂設され、この供給管１３の下端にはカプラー１４により前記蛇腹ホース１０が接続されている。
【００１６】
前記蛇腹ホース１０はホルダー９の内部からカウンター１の取付孔２を挿通してカウンター１の下部に略Ｕ字状に垂れ下がった状態で収納され、この蛇腹ホース１０は外周面全体には凹凸部１０ａが形成され、シャワーヘッド８をホルダー９から引出して広い範囲で湯水を吐水できる長さとし、その基端は前記カプラー１４により供給管１３に接続されている。
【００１７】
前記蛇腹ホース１０には本発明のストッパー２０が装着される。このストッパー２０は、シャワーヘッド８の引出し時において、蛇腹ホース１０のホルダー９からの引出し長さを制限するためのものであり、蛇腹ホース１０に対しカウンター１の下部で装着されている。
【００１８】
図２に示すように、前記ストッパー２０は合成樹脂材からなる二つの分割体３０，４０を備え、両分割体３０，４０はヒンジ部材５０で展開閉自在に連結され、互いの分割体３０，４０の形状は略半円盤型であり、重なり合わせて結合させることで、その外観形状が略球形となるものである。
【００１９】
前記分割体３０，４０の一方である第１分割体３０には、ストッパー２０を蛇腹ホース１０に係合させるための突部３１と、ストッパー２０の蛇腹ホース１０からの脱落を防止するための保持手段Ａとが設けられている。第１分割体３０はその開口側内周面に蛇腹ホース１０の凹凸部１０ａの凹部１０ｂに係合するように凹部１０ｂよりその肉厚を薄くした略環状の突部３１が形成され、この突部３１に連続して第１分割体３０の開口縁から水平方向に突出して合成樹脂材からなる一対の脚部３２，３２が形成されており、両脚部３２，３２の間には蛇腹ホース１０の凹部１０ｂの外径より小径とした挿通孔３３が形成されている。この脚部３２，３２と挿通孔３３とにより、第１分割体３０の蛇腹ホース１０からの脱落を防止してストッパー２０を蛇腹ホース１０に保持するための保持手段Ａが形成される。従って、ストッパー２０の第１分割体３０を蛇腹ホース１０に保持するには、両脚部３２，３２の間の挿通孔３３に蛇腹ホース１０の凹部１０ｂを向かい合わせ、第１分割体３０を蛇腹ホース１０に向けて水平方向に強く押しつけると、脚部３２，３２は弾性力を備えた合成樹脂材で形成されているため拡開方向に弾性変形して挿通孔３３の間隔が開き、挿通孔３３を蛇腹ホース１０の凹部１０ｂが通過して突部３１を凹凸部１０ａに係合されることで、ストッパー２０は蛇腹ホース１０から落下しないように保持させることができる。なお、保持手段は本実施例の構成に限定されるものではなく、第１分割体のストッパーに対する保持状態を維持することのできるものであればどのような構造であってもよい。
【００２０】
前記分割体３０，４０の他方である第２分割体４０は、その外観形状が第１分割体３０と略同形状であり、開口側内周面には第１分割体３０の両脚部３２，３２が挿入される水平溝４１が形成されている。また、第１分割体３０と第２分割体４０とは互いの開口側が重なり合う端面に係止孔３４と係止爪４２とがそれぞれ形成され、係止孔３４に対し係止爪４２とを係合させることで、ストッパー２０を蛇腹ホース１０に対し装着させることができる。
【００２１】
上記構成において、ストッパー２０を蛇腹ホース１０に装着するには、図２に示すようにストッパー２０の第１分割体３０はその開口側内周面を蛇腹ホース１０に向かい合わせる。次に第１分割体３０の両脚部３２，３２の間の挿通孔３３に蛇腹ホース１０の凹部１０ｂを向かい合わせ、第１分割体３０を蛇腹ホース１０に対し押し付けると、凹部１０ｂにより両脚部３２，３２は弾力的に拡開し、そのまま第１分割体３０を水平方向に移動させれば、図３及び図４に示すように、蛇腹ホース１０の凹部１０ｂに対して突部３１が係合する。この場合、蛇腹ホース１０の凹部１０ｂは第１分割体３０の挿通孔３３より大径で横長であるため、ストッパー２０又は蛇腹ホース１０に対し両物品を引き離す方向に力を加えない限り、蛇腹ホース１０の凹部１０ｂが第１分割体３０の挿通孔３３を通過することがなく、ストッパー２０の第１分割体３０は蛇腹ホース１０から脱落することがないように保持されている。
【００２２】
次に第１分割体３０と第２分割体４０とを、互いの開口側内周面を重ね合わせ、係止孔３４に対し係止爪４２を係合させることで、図５に示すようにストッパー２０は蛇腹ホース１０に装着される。
【００２３】
以上のように蛇腹ホース１０にストッパー２０が装着されていると、シャワーヘッド８のホルダー９からの引出し時は、ストッパー２０はカウンター１の下部で蛇腹ホース１０に装着された状態のまま移動して接続筒４の下端に当接するので、シャワーヘッド８が蛇腹ホース１０と共にホルダー８から引出される長さを制限することができる。
【００２４】
この発明では以上のように、蛇腹ホース１０に装着されるストッパー２０の第１分割体３０には、蛇腹ホース１０の凹部１０ｂに係合する突部３１と保持手段Ａとが形成されているため、第１分割体３０は突部３１と保持手段Ａとにより蛇腹ホース１０に対する保持状態が維持され、蛇腹ホースから不用意に落下することがない状態で第２分割体との結合を行なうことができ、ストッパーを蛇腹ホースへ装着する際の作業性が向上する。
【図面の簡単な説明】
【００２５】
【図１】この発明のストッパーが装着された水栓の説明図である。
【図２】ストッパーと蛇腹ホースとを向かい合わせた状態の説明図である。
【図３】ストッパーの第１分割体を蛇腹ホースに保持させた状態の説明図である。
【図４】図３において、第１分割体の突部が蛇腹ホースの凹部に係合した状態の説明図である。
【図５】ストッパーが蛇腹ホースに装着された状態の説明図である。
【符号の説明】
【００２６】
８    ：  シャワーヘッド
９    ：  ホルダー
１０  ：  蛇腹ホース
１０ｂ：  凹部
２０  ：  ストッパー
３０  ：  第１分割体
３１  ：  突部
３２  ：  脚部
３３  ：  挿通孔
４０  ：  第２分割体
Ａ    ：  保持手段
【図１】
0004755471.tif 000002
【図２】
0004755471.tif 000003
【図３】
0004755471.tif 000004
【図４】
0004755471.tif 000005
【図５】
0004755471.tif 000006